(57)【要約】【課題】従来のプラズモン共鳴を利用した測定装置は、機械的なノイズなどの外乱が生じた場合、共鳴角を精度よく測定できない場合がある、あるいは、外乱の影響を少なくすると共鳴角の精度、共鳴角のダイナミックレンジを犠牲にしている。【解決手段】本発明のプラズモン共鳴を利用した装置は、基板と金属膜との間に誘電体膜を設け、金属膜の捕捉物質を形成した側と金属膜の捕捉物質が形成された側と対向する側とのプラズモン共鳴を測定し、金属膜の捕捉物質が形成された側と対向する側とのプラズモン共鳴をリファレンスとすることで外乱の有無を判定することで、共鳴角のダイナミックレンジを犠牲にすることなく精度良く共鳴角を測定することができる。【選択図】図１
2007147314.tif 000002
【特許請求の範囲】
【請求項１】
基板と、
少なくとも前記基板上の一方の面に誘電体層と金属薄膜とがこの順に形成された多層膜と、
前記金属膜の前記誘電体層と接する側と対向する側に固定された化学物質と、
前記基板の前記誘電体層が形成された側に対向する側に対し、基板と鉛直方向から角度Θで入射される入射光を発する第１の光学系と、
前記第１の光学系からの入射光を受けて前記基板と鉛直方向から角度−Θで反射される反射光を受光する第２の光学系と、
前記第1の光学系と前記第２の光学系とを、前記角度の関係を維持した状態で角度Θを走査する走査手段とを有することを特徴とする表面プラズモンセンサー。
【請求項２】
基板と、
少なくとも前記基板上の一方の面に誘電体層と金属薄膜とがこの順に形成された多層膜と、
前記金属膜の前記誘電体層と接する側と対向する側に固定された化学物質と、
前記基板の前記誘電体層が形成された側に対向する側に対し入射光を発する第１の光学系と、前記入射光の前記基板からの反射光を受ける第２の光学系を有し、
前記入射光は、前記基板と鉛直方向からなす角度Θが異なる複数の光束からなり、
前記第２の光学系は、前記入射光の鉛直方向からなす角度Θに対し、前記基板と鉛直方向からなす角度−Θの反射角度の反射光を走査する手段とを有することを特徴とする表面プラズモンセンサー。
【請求項３】
前記誘電体膜の屈折率が、前記誘電体基板の屈折率より小さいことを特徴とする請求項１または２に記載の表面プラズモンセンサー。
【請求項４】
基板と、
少なくとも前記基板上の一方の面に誘電体層と金属薄膜とがこの順に形成された多層膜と、
前記金属膜の前記誘電体層と接する側と対向する側に固定された化学物質と、
前記基板の前記誘電体層が形成された側に対向する側に対し、基板と鉛直方向から角度Θで入射される入射光を発する光源を含む第１の光学系と、
前記第１の光学系からの入射光を受けて前記基板と鉛直方向から−Θで前記化学物質により反射される反射光を受光する第２の光学系とを有する表面プラズモンセンサーを用いた標的物質の測定方法であって、
前記化学物質が前記標的物質を補足する前に、反射光強度の角度依存性を測定し、
前記金属膜の前記化学物質が固定された面の界面で生じる第１の表面プラズモン波形と、前記金属膜の前記化学物質が固定された面と対向する側の界面で生じる第２の表面プラズモン波形とを測定する工程と、
化学物質に標的物質を捕捉させた後、反射光強度の角度依存性を測定し、
前記金属膜の前記化学物質が固定された面の界面で生じる第３の表面プラズモン波形と、前記金属膜の前記化学物質が固定された面と対向する側の界面で生じる第４の表面プラズモン波形とを測定する工程とを有することを特徴とする表面プラズモンセンサーを用いた標的物質の検出方法。
【請求項５】
前記第２の表面プラズモン波形と、前記第４の表面プラズモン波形とをリファレンスとし、
前記第２の表面プラズモン波形と、前記第４の表面プラズモン波形とを用いて機械的な外乱の有無を検出することを特徴とする請求項５に記載の表面プラズモンセンサーを用いた標的物質の検出方法。
【請求項６】
前記第２の表面プラズモン波形の極小値と、前記第４の表面プラズモン波形の極小値を示す角度が同一である場合、前記機械的な外乱が生じていないと判定することを特徴とする請求項４に記載の表面プラズモンセンサーを用いた標的物質の検出方法。
【発明の詳細な説明】
【技術分野】
【０００１】
本発明は、表面プラズモンセンサーおよび表面プラズモンセンサーを用いた標的物質の検出方法に関する。
【背景技術】
【０００２】
血液中には、ガン・肝炎・糖尿病・骨粗しょう症など特定の疾患に対するマーカーが複数存在している。罹患した際には、平時より特定のタンパク質の濃度が増加する。これらを平時からモニターしておくことで、重大な病気を早期に発見することが出来るため、次世代の医療技術として期待されている。
【０００３】
未加工で未精製のタンパク質を分析するための方法の１つは、生物学的なリガンド−アナライト相互作用を利用して特定の化合物を識別するセンサを基本としたものである。
【０００４】
センサには、蛍光免疫法、プラズモン共鳴法、光干渉法など幾つかの方式がある。いずれの方式も、リガントをセンサ表面に固定し、検体中のアナライトを高感度にかつ選択性よく選別して結合することにより夾雑物を排除し、目的とするタンパク質のみを高効率に基板表面に固定化することが共通のステップとなる。
【０００５】
蛍光免疫法は、リガンド−アナライト複合体にさらに蛍光色素で標識した第二のリガントをさらに結合させ、蛍光色素を励起し、蛍光量を測定することでアナライトの濃度を測定する。プラズモン共鳴法では、金属プラズモンが界面物質の屈折率変化に高感度に反応することを利用して、金属薄膜や金属の微粒子の上に固定化されたリガンドに結合するアナライトの濃度を測定している。
【０００６】
表面プラズモン共鳴法に関する技術は、例えば、特許文献１ならびに特許文献２に記載されている。
【０００７】
図７は、特許文献１に開示された表面プラズモン共鳴法を用いた測定装置を示す断面図である。測定装置１は、表面プラズモン顕微鏡２と加熱ヒータ３（サーミスタ１９）とを具え、誘電体物質からなる測定試料４の加熱に伴う状態変化の観察を可能にしたものである。表面プラズモン顕微鏡２は、透明基板５の一方の表面に測定試料４を接触保持する金属薄膜６を、他方の表面にマッチングオイル７を介して光学プリズム８を設け、単色光レーザ光源９から偏光板１０、ビームエキスパンダ１１、絞り１２、集光レンズ１３、光学プリズム８、マッチングオイル７、透明基板５を経て金属薄膜６にＰ偏光の収束光を入射させ、その反射光をＮＤフィルタ１４およびシリンドリカルレンズ１５を経て焦平面に平行に配置したフォトダイオードアレイ１６で受光して反射光強度の角度依存性を求めるよう構成されている。
【０００８】
全反射の条件で金属薄膜６にＰ偏光を入射しても、表面プラズモンが誘起されると、その誘起された角度では反射率が極端に減少する。したがって、フォトダイオードアレイ１６をシリンドリカルレンズ１５の焦平面に平行に配置してその各素子を光の反射角に対応させれば、その出力から表面プラズモン共鳴により発生した暗線、すなわち最低の反射率に対応する素子を検知することができ、その素子位置から吸収ピークの反射角を求めることにより、表面プラズモン共鳴が生じる入射角つまり共鳴角を検出することができる。
【０００９】
尚、透明基板５は、Ｘ−Ｙステージ１７に固定され、光学プリズム８は、プリズム固定部材１８に固定されている。
【００１０】
図８は、特許文献２に開示された表面プラズモン共鳴法を用いた測定装置を示す断面図である。表面プラズモンセンサーは、紙面に垂直な方向に長軸が延びる三角柱形のプリズム２０と、このプリズム２０の一面（図中の上面）に形成されて、試料２１に接触させられる例えば金、銀等からなる金属膜２２と、１本の光ビーム２３を発生させる半導体レーザ等からなる光源２４と、上記光ビーム２３をプリズム２０に通し、該プリズム２０と金属膜２２との界面２０ａに対して、種々の入射角が得られるように入射させる光学系２５と、上記界面２０ａで全反射した光ビーム２３を平行光化するコリメーターレンズ２６と、この平行光化した光ビーム２３を検出する光検出手段２７と、この光検出手段２７に接続された差動アンプアレイ２８と、ドライバ２９と、コンピュータシステム等からなる信号処理部３０と、この信号処理部３０に接続された表示手段３１とを備えている。
【特許文献１】特開平６−１６７４４３
【特許文献２】特開平１１−３２６１９４
【発明の開示】
【発明が解決しようとする課題】
【００１１】
特許文献１に記載の技術は、プラズモン共鳴を利用した化学センサ、バイオセンサに関して開示されたものである。しかし、機械的なノイズなどの外乱が生じた場合、共鳴角を精度よく測定できない場合がある。
【００１２】
また、特許文献２には、外乱の影響を少なくするという課題に対する解決法の一つが示されている。しかしながら、該手法では装置がコンパクトになっているものの、共鳴角の精度、共鳴角のダイナミックレンジを犠牲にしている。
【課題を解決するための手段】
【００１３】
本発明は、基板と、少なくとも基板上の一方の面に誘電体層と金属薄膜とがこの順に形成された多層膜と、金属膜の誘電体層と接する側と対向する側に固定された化学物質と、基板の誘電体層が形成された側に対向する側に対し、基板と鉛直方向から角度Θで入射される入射光を発する光源を含む第１の光学系と、第１の光学系からの入射光を受けて基板と鉛直方向から角度−Θで反射される反射光を受光する第２の光学系と、第1の光学系と第２の光学系とを角度の関係を維持した状態で角度Θを走査する走査手段とを有することを特徴とする表面プラズモンセンサーである。
【００１４】
又、基板と、少なくとも基板上の一方の面に誘電体層と金属薄膜とがこの順に形成された多層膜と、金属膜の誘電体層と接する側と対向する側に固定された化学物質と、基板の誘電体層が形成された側に対向する側に対し入射光を発する第１の光学系と、入射光の基板からの反射光を受ける第２の光学系を有し、入射光は、基板と鉛直方向からなす角度Θが異なる複数の光束からなリ、第２の光学系は、入射光の鉛直方向からなす角度Θに対し基板と鉛直方向からなす角度−Θの反射角度の反射光を走査する手段とを有することを特徴とする表面プラズモンセンサーである。
【００１５】
更に、基板と、少なくとも基板上の一方の面に誘電体層と金属薄膜とがこの順に形成された多層膜と、金属膜の誘電体層と接する側と対向する側に固定された化学物質と、基板の誘電体層が形成された側に対向する側に対し、基板と鉛直方向から角度Θで入射される入射光を発する光源を含む第１の光学系と、第１の光学系からの入射光を受けて基板と鉛直方向から−Θで化学物質により反射される反射光を受光する第２の光学系とを有する表面プラズモンセンサーを用いた標的物質の測定方法であって、化学物質が標的物質を補足する前に、反射光強度の角度依存性を測定し、金属膜の化学物質が固定された面の界面で生じる第１の表面プラズモン波形と、金属膜の化学物質が固定された面と対向する側の界面で生じる第２の表面プラズモン波形とを測定する工程と、化学物質に標的物質を捕捉させた後、反射光強度の角度依存性を測定し、金属膜の化学物質が固定された面の界面で生じる第３の表面プラズモン波形と、金属膜の化学物質が固定された面と対向する側の界面で生じる第４の表面プラズモン波形とを測定する工程とを有することを特徴とする表面プラズモンセンサーを用いた標的物質の検出方法。
【発明の効果】
【００１６】
本発明のプラズモン共鳴センサは、基板と金属膜との間に誘電体膜を設け、金属膜の捕捉物質を形成した側と金属膜の捕捉物質が形成された側と対向する側とのプラズモン共鳴を測定し、金属膜の捕捉物質が形成された側と対向する側とのプラズモン共鳴をリファレンスとし、外乱の有無を判定することで、共鳴角のダイナミックレンジを犠牲にすることなく精度良く共鳴角を測定することができる。
この表記でいいと思います。
【発明を実施するための最良の形態】
【００１７】
以下、図を参照しながら本発明に関わる実施形態につき説明するが、本発明は本実施形態の内容に限定されるものではない。
【００１８】
本発明の第一の実施形態である表面プラズモン共鳴法を用いた測定装置（表面プラズモン共鳴センサ）を、図１に示す模式的断面図を用いて詳細に説明する。
【００１９】
表面プラズモン共鳴法を用いた測定装置は、三角柱型のプリズム状の形態をした誘電体ブロック１０５の三角の一辺に試料を配置し、三角の残りの２辺の一方から入射光１１３を入射し、他方の面から試料からの反射光１１４を出射する構成となっている。
【００２０】
試料は、入射光１１３に対して透明な基板１０３上に、誘電体薄膜１０２と金属薄膜１０１が蒸着された多層膜を形成し、金属薄膜１０１に、標的物質１１０を補足する捕捉体１０９が固定化されている。
【００２１】
基板上に誘電体薄膜１０２と金属薄膜１０１が蒸着された多層膜を形成し、金属薄膜１０１に、標的物質１１０を補足する捕捉体１０９が固定化された入射光１１３に対して透明な基板１０３を三角柱型のプリズムに固定したものを、標的物質検出素子１１６を称する。
【００２２】
試料は、透明な基板１０３の誘電体薄膜１０２と対向する面でマッチングオイル１０４を介し、誘電体ブロック１０５に密着している。誘電体ブロック１０５に対して、光源１０６からコリメートレンズ１１５、偏光板１０７を介して入射光１１３を入射する。入射光は、コリメートレンズ１１５を介することで平行な光となる。
【００２３】
平行光となった入射光は、誘電体ブロックの基板が形成された面に鉛直方向から角度Θの入射角で入射される。該入射光が、角度−Θの反射角で反射され、該反射光を光センサ１０８で測定する。
【００２４】
入射角をモーター等の図示しない走査手段を用い、走査することでさまざまな角度で照射し、走査された入射光による反射光を、同様に、モーター等の図示しない走査手段を用い、入射角に同期させ反射角を測定し、反射光強度が測定される。
【００２５】
捕捉体１０９に標的物質を補足した後、同様の測定をすることにより、共鳴曲線のシフトが測定できそのシフト量から標的物質の結合量を見積もることが可能となる。一方、標的物質の動的な解析をおこなう場合には、共鳴角付近のある角度に入射光ならびに反射光の角度を固定させて、反射光の変化から動的な測定をおこなうことができる。
【００２６】
Ｋｒｅｔｃｈｍａｎｎ配置の表面プラズモン共鳴の共鳴角度は式（１）で与えられる。
【００２７】
【数１】
2007147314.tif 000003
【００２８】
ここでεm（ω）は金属の誘電率、ｎSは誘電体薄膜もしくは検体の屈折率、ｎは基板の屈折率である。
【００２９】
入射光１１３により、金属薄膜１０１の基板側の面と金属薄膜１０１の基板側の面に対向する捕捉体１０９が固定された面の両面で表面プラズモンを発生する。
【００３０】
検体もしくは誘電体の界面で生じるプラズモン波の波数は、（２）式で表される。ここでｎは金属膜と接している物質の屈折率、ωは光の周波数、ｃは光速、θは、基板の法線方向からの角度である。
【００３１】
【数２】
2007147314.tif 000004
【００３２】
プリズムのみで誘電体膜がない場合は、（２）式における屈折率ｎが大きいので、プラズモン波の波数ｋｓｐが全角度領域において入射している光子の波数より大きくなるため、プリズムと金属膜界面に由来するディップは存在しない。一方、プリズムよりも小さい屈折率ｎを有する誘電体膜を一層挿入することにより、ｋｓｐは小さくなり、ある角度において光子の波数とプラズモンの波数が同じになり、ディップを生じさせることが可能となる。よって本発明の構成によると、（１）式より、金属膜と検体との界面でのプラズモン１１２に由来するプラズモン波形は、第１の極小値となるディップＡ、さらに金属膜と誘電体との界面でのプラズモン１１１に由来するプラズモン波形は、第２の極小値となるディップＢが測定される。
【００３３】
図２（ａ）は、図１に示す装置を用いて測定した標的物質を捕捉していない場合の反射光強度の角度依存性である。標的物質を捕捉後に反射光強度の角度依存性を測定した結果が図２（ｂ）、（ｃ）に示されている。
【００３４】
金属膜と検体との界面でのプラズモン１１２に由来するプラズモン波形を示す。第１の極小値となるディップＡは、金属膜に固定された捕捉体となる化合物が標的物質を捕捉する前後でシフトする。
【００３５】
一方、金属膜と誘電体との界面でのプラズモン１１１に由来するプラズモン波形を示す、第２の極小値となるディップＢは、金属膜に固定された捕捉体となる化合物が標的物質を捕捉する前後で金属膜と誘電体との界面の変化がないので、ディップＢはシフトしない（図２（ｂ））ので、外乱は生じていない。これに対し、ディップＢがシフトした場合は（図２（ｃ））、検体を搬送するポンプからの振動やセンサチップ搬送ロボットの動きに由来する機械的な外乱が生じたと判定できる。
【００３６】
測定のフローチャートを図３に示す。まず、緩衝溶液のプラズモン共鳴を測定する。次に標的物質を含む検体溶液を注入し、捕捉体により標的物質を補足させ、プラズモン共鳴角を測定する。共鳴角Ｂのシフトがなければ得られた共鳴曲線から標的物質の量を見積もることが可能となる。一方、共鳴角Ｂのシフトが生じた場合、外乱の影響によるノイズと考えられるので、緩衝溶液の測定の項目に戻り再度測定をおこなうことで外乱の影響によるノイズなく測定することが可能となる。
【００３７】
外乱の影響を除くことができない従来の測定では、
１．生化学反応によるばらつき、
２．測定装置によるばらつき、
３．センサ素子によるばらつき、
を考慮して、同じ測定を何度もおこない再現性の確認やデータのばらつき評価をおこない、データの質を向上させるようにしている。
【００３８】
外乱の影響を除くことで測定装置によるばらつきが軽減できるので、測定の回数を減らすことが出来、測定のプロトコール数を減らすことが可能となる。
【００３９】
金属薄膜１０１としては、検体や緩衝溶液ならびに誘電体薄膜１０２との界面で、プラズモンが生ずる物質であれば特に制限はない。本構成では、Ａｕ、Ａｇ、Ｃｕ、Ｐｔなど貴金属を用いることが好ましい。
【００４０】
誘電体薄膜１０２としては、誘電体ブロック１０５ならびに基板１０３より屈折率が低く可視光に対して透明であれば特に制限はない。具体的には、Ａｌ2Ｏ3、Ｓｂ2Ｏ3、ＢｅＯ、Ｂｉ2Ｏ3、ＢｉＦ3、ＣａＦ2、ＣｅＯ2、ＣｅＦ3、ＨｆＯ2、ＬａＦ3、Ｌａ2Ｏ3、ＰｂＣｌ2、ＰｂＦ2、ＬｉＦ、ＭｇＦ2、ＭｇＯ、ＮｄＦ3、Ｎｄ2Ｏ3、Ｐｒ6Ｏ11、Ｓｃ2Ｏ3、ＳｉＯ、Ｓｉ2Ｏ3、ＮａＦ、Ｔａ2Ｏ5、ＴｉＯ2、ＴｌＣｌ、ＴｈＯ2、ＴｈＦ4、Ｙ2Ｏ3、ＺｎＳｅ、ＺｎＳ、ＺｒＯ2、が適宜選択して用いられる。
【００４１】
誘電体薄膜の膜厚は、下限は、特に制限されるものではないが、均一な膜厚の誘電体薄膜を形成する点で１０ｎｍ以上にすることが好ましいが、均一な膜厚が得られるのでれば１０ｎｍ以下であっても良い。上限については、用いる波長λ以下であることが好ましい。
【００４２】
基板１０３としては、各種ガラス、光学結晶などが用いられるが、誘電体ブロック１０５と同程度の屈折率のものを用いることが好ましい。
【００４３】
マッチングオイル１０４としては、誘電体ブロック１０５と基板１０３とほぼ同程度の屈折率を持つものを用いることが好ましい。
【００４４】
誘電体ブロック１０５としては、可視光に対して透明であれば特に制限はない。具体的には屈折率１．４以上のものを用いることができるが、本構成では１．５以上のものであることが好ましい。
【００４５】
１０６の光源としては、波長が２００ｎｍ〜１０００ｎｍの範囲のレーザーダイオードまたはガスレーザを選択して用いる。本構成では、調べようとしている化学物質のラマン散乱が、効率よく生じる波長のものを用いることが好ましい。
【００４６】
１０７の偏光フィルタとしては、消光比が高いものが用いられる。本構成では消光比１０-3以上が好ましい。
【００４７】
１０８の光センサとしては、フォトダイオード、光電子増倍管を用いることができる。本構成では、反射光の強度によってフォトダイオード、光電子増倍管が適宜選択することができる。
【００４８】
標的物質捕捉体１０９、標的物質と特異的な結合対を形成するものであれば、特に制約はない。
【００４９】
標的物質１１０としては、標的物質捕捉体と特異的な結合対を形成するものであれば、特に制約はない。具体的には、検体中に含まれる標的物質は、非生体物質と生体物質に大別される。
【００５０】
非生体物質として産業上利用価値の大きいものとしては、環境汚染物質としての塩素置換数／位置の異なるＰＣＢ類、同じく塩素置換数／位置の異なるダイオキシン類、いわゆる環境ホルモンと呼ばれる内分泌撹乱物質等が挙げられる。
生体物質としては、核酸、タンパク質、糖鎖、脂質及びそれらの複合体から選択される。生体物質が含まれ、更に詳しくは、核酸、タンパク質、糖鎖、脂質から選択される生体分子を含んでなるものであり、具体的には、ＤＮＡ、ＲＮＡ、アプタマー、遺伝子、染色体、細胞膜、ウイルス、抗原、抗体、レクチン、ハプテン、ホルモン、レセプター、酵素、ペプチド、スフィンゴ糖、スフィンゴ脂質の何れかから選択された物質を含むものであれば、如何なる物質にも本発明を適用することができる。更には、前述の「生体物質」を産生する細菌や細胞そのものも、本発明が対象とする「生体物質」として標的物質となり得る。
【００５１】
次に本発明の第ニの実施形態である表面プラズモン共鳴法を用いた測定装置を、図４に示す模式的断面図を用いて詳細に説明する。
【００５２】
本実施形態の測定装置は、第一の実施形態で示した測定装置(図１参照)の入射光側を、コリメートレンズ１１５から集光レンズ４０１に変えたものである。光源としてレーザ光を用いた場合であってもレーザーダイオードから得られる光は拡散するため第一の実施形態ではコリメートレンズを用いて平行光とした。入射光が平行光の場合、入射光側の光学系(入射光学系)と反射光を受光する側の光学系(受光光学系)は、入射光学系を走査し、入射光学系の走査に同期して、受光光学系を走査する必要がある。
【００５３】
本実施形態では、集光レンズ４０１を用いるので、光源から拡散された光を集光レンズで集光する。この結果、集光された光は、図４に示す用に角度の異なった光束が一点に集光することとなる。
【００５４】
異なった角度の入射光による反射光は、異なった角度の光の集合となり、測定する位置により反射角度の異なった反射光を測定することができるので、基板表面からの反射光を、光センサ４０２で走査し、入射光の角度に対応する反射光を検出し、反射光の角度依存を測定する。標的物質を補足した後、同様の測定をすることにより、共鳴曲線のシフトが測定できそのシフト量から標的物質の結合量を見積もることが可能となる。標的物質の動的な解析をおこなう場合には、共鳴角付近のある角度に入射光ならびに反射光の角度に注目して、動的な測定をおこなう。
【００５５】
本実施形態においても、各角度に対応した反射光強度を検出することにより、図２のようなプラズモン共鳴曲線が得られ、標的物質の濃度を検出することが可能となる。
【００５６】
表面プラズモン共鳴法を用いた測定装置は、第一の実施形態と同様に、三角柱型のプリズム状の形態をした誘電体ブロック１０５の三角の一辺に試料を配置し、三角の残りの２辺の一方から入射光１１３を入射し、他方の面から試料からの反射光を出射する構成となっている。
【００５７】
試料は、入射光１１３に対して透明な基板１０３上に、誘電体薄膜１０２と金属薄膜１０１が蒸着された多層膜を形成し、金属薄膜１０１に、標的物質１１０を補足する捕捉体１０９を固定化されている。
【００５８】
試料は、透明な基板１０３の誘電体薄膜１０２と対向する面でマッチングオイル１０４を介し、誘電体ブロック１０５に密着している。誘電体ブロック１０５に対して、光源１０６から集光レンズ４０１、偏光板１０７を介して入射光１１３を入射する。入射光は、光源１０６、集光レンズ４０１および偏光板１０７からなる入射光学系を用い、さまざまな角度で照射される。
【００５９】
さまざまな角度入射された入射光１１３の反射光は、入射光の入射角度に同期して移動する光センサ４０２により反射光強度が測定される。
【００６０】
本実施形態の測定装置は、第一の実施形態で示した測定装置(図１参照)と、
入射光側：コリメートレンズ１１５⇒集光レンズ４０１
受光側  ：光センサ１０８⇒光センサ４０２
に変えたものである。
【００６１】
第一の実施形態（図１)の構成のコリメートレンズ１１５と光センサ１０８の組み合わせの場合、入射光側の光学系の照射角と、受光側の光学系の受光角とを同期させて走査する必要がある。これに対して本実施形態の構成（図４)では機械的動作は不要で、光源１０６ならびに光センサ４０２を動かすことなく必要がない。図６のようなｋｉｎｅｔｉｃｓ曲線を測定する場合、図１の構成では、入射光側と受光側とを角度を同期して動かす必要があり、装置の機会精度を上げるとともに、得られたデータを後で処理する必要があるが、図４の構成にすることで解決できる。
【００６２】
捕捉体１０９に標的物質を補足した後、同様の測定をすることにより、共鳴曲線のシフトが測定できそのシフト量から標的物質の結合量を見積もることが可能となる。一方、標的物質の動的な解析をおこなう場合には、共鳴角付近のある角度に入射光ならびに反射光の角度を固定させて、反射光の変化から動的な測定をおこなうことができる。
【００６３】
＜実施例＞
以下本発明の実施例を述べるが、本発明はここに記述した内容だけに制限を受けるものではない。
【００６４】
＜実施例１＞
＜標識物質検出素子＞
基板１０３として顕微鏡用のカバーガラスを用い、カバーガラスに誘電体薄膜ＭｇＦ2を５０ｎｍ蒸着させた後、金５０ｎｍを蒸着させる。基板を充分にアセトン、ＩＰＡにて洗浄した後、１１−Ａｍｉｎｏ−１−ｕｎｄｅｃａｎｅｔｈｉｏｌ，  ｈｙｄｒｏｃｈｌｏｒｉｄｅ（同仁化学社製）で表面修飾し、Ｂｉｏｔｉｎ−ＡＣ５  Ｓｕｌｆｏ−ＯＳｕ（同仁化学性）を１ｈｒ．インキュベートし固定化させた。
【００６５】
＜標的物質の測定＞
図５に示す表面プラズモン測定装置を用いて測定を行なった。光源５０１、コリメートレンズ５０２および偏光フィルタ５０３がこの順に配置された入射光学系を常磐（不図示）に固定し、標的物質検出素子１１６を構成する三角柱型のプリズム状の形態をした誘電体ブロックへ入射する。
【００６６】
光源５０１には、レーザーダイオード（三洋電機、ＤＬ３０３８−０３３）を用い、コリメートレンズ５０２は、平凸レンズ（シグマ光機、平凸レンズ５ｍｍφ）を、偏光フィルタ５０３は可視光偏光フィルター（シグマ光機、ＳＰＦ−３０Ｃ−３２）を用いた。これら入射光学系を常盤の上に固定した。
【００６７】
光センサ５０４は、パワーメータ（アドフィルタ、ＴＱ８２１０）を用い、アーム５０５に固定する。ゴニオメータ５０６は、２軸小型自動回転ステージ（シグマ光機、ＳＫＩＤＳ−６０ＹＡＷ（θｚ）−Ａθ（Ｖｅｒ２．０））を用いた。ゴニオメータの中心に標的物質検出素子１１６を設置し、回転盤とアームを同期させながら回転させることにより、反射光の角度スペクトルを測定することができる。
【００６８】
尚、本発明において、入射角と反射角とを同期させながら回転させるとは、三角柱型のプリズム状の形態をした誘電体ブロックの基板が形成された面と鉛直方向から角度Θで入射される入射光と、基板と鉛直方向から−Θで化学物質により反射される反射光を受光するように入射光学系と受光部とを同期して移動させることを示している。
【００６９】
まず、標的物質検出素子を覆うように配置された溶液セル（不図示）に、リン酸緩衝液を注入し、角度走査させながら反射強度の角度依存性を測定する。その後、１０ｎＭのａｖｉｄｉｎ溶液（和光純薬工業（株）製）を５ｍＬで３ｈｒ．反応させ、同様に反射光強度の角度依存性について測定をおこなった。
【００７０】
上記した方法により測定される反射光の角度依存性が、図２（ｂ）で示すようであれば、共鳴曲線から標的物質の吸着量を見積もることが可能となり、図２（ｃ）のようであれば、測定中に外乱の影響があったと予想されるため、検出素子を交換して再度測定をおこなえばよい。
【００７１】
（実施例２）
標的物質検出素子としては、実施例１と同じものを用いる。
【００７２】
＜標的物質の測定＞
図４に示した表面プラズモン測定装置を用いて測定を行なった。光源１０６、コリメートレンズ４０１および偏光板１０７がこの順に配置された入射光学系を常磐（不図示）に固定し、標的物質検出素子１１６を構成する三角柱状の誘電体ブロックへ入射する。
【００７３】
光源１０６は、レーザーダイオード（三洋電機、ＤＬ３０３８−０３３）を用い、集光レンズ４０１は、両凸レンズ（シグマ光機、両凸レンズ５ｍｍφ）を用い、偏光板１０７は可視光偏光フィルター（シグマ光機、ＳＰＦ−３０Ｃ−３２）を用いた。標的物質検出素子１１６により反射された反射光を受ける光センサ４０２は、ラインセンサ（浜松ホトニクス製、Ｓｉフォトダイオードアレイ）を用いた。
【００７４】
まず、標的物質検出素子を覆うように配置された溶液セル（不図示）に、リン酸緩衝液を注入し、ある範囲内のさまざまな角度で反射強度の角度依存性を測定する。その後、１０ｎＭのａｖｉｄｉｎ溶液（和光純薬工業株）を５ｍＬで３ｈｒ．反応させ、同様に反射光強度の角度依存性について測定をおこなう。
【００７５】
上記した方法により測定される反射光の角度依存性が、図２（ｂ）に示すようであれば、共鳴曲線から標的物質の吸着量を見積もることが可能となる。図２（ｃ）のようであれば、検出素子を交換して再度測定をおこなう。
【００７６】
（実施例３）
標的物質検出素子としては、実施例１と同じものを用い、標的物質の測定については実施例２と同じものを用いた。
【００７７】
標的物質検出素子を覆うように配置された溶液セル（不図示）に、１０ｎＭのａｖｉｄｉｎ溶液（和光純薬工業（株）製）を５ｍＬ注入した。光センサ４０２の一つの素子（ある特定の角度に相当）の信号の差分について時間変化を表示させると、図６のようなグラフが得られ、ａｖｉｄｉｎの動的な振る舞いを知ることが可能となる。
【図面の簡単な説明】
【００７８】
【図１】本発明の実施形態１を表す図である。
【図２】本発明で得られるプラズモン共鳴曲線である。
【図３】本発明の実施形態および実施例を説明するための図である。
【図４】本発明の実施形態２および実施例２、３を説明するための図である。
【図５】本発明の実施例１を説明するための図である。
【図６】本発明の実施例３を説明するための図である。
【図７】特許文献１の表面プラズモン測定装置の模式的断面図である。
【図８】特許文献２の表面プラズモン測定装置の模式的断面図である。
【符号の説明】
【００７９】
１  測定装置
２  顕微鏡
３  加熱ヒータ
４  測定試料
５  透明基板
６  金属薄膜
７  マッチングオイル
８  光学プリズム
９  単色光レーザ光源９
１０  偏光板
１１  ビームエキスパンダ１１
１２  絞り
１３  集光レンズ
１４  ＮＤフィルタ
１５  シリンドリカルレンズ
１６  フォトダイオードアレイ
１７  Ｘ−Ｙステージ
１８  プリズム固定部材
１９  サーミスタ
２０  三角柱形のプリズム
２０ａ  界面
２１  試料
２２  金属膜
２３  光ビーム
２４  光源
２５  光学系
２６  コリメーターレンズ
２７  光検出手段
２８  差動アンプアレイ
２９  ドライバ
３０  コンピュータシステム等からなる信号処理部
３１表示手段
１０１  金属薄膜
１０２  誘電体薄膜
１０３  基板
１０４  マッチングオイル
１０５  誘電体ブロック
１０６  光源
１０７  偏光板
１０８  光センサ
１０９  捕捉体
１１０  標的物質
１１１  金属／誘電体界面の表面プラズモン
１１２  金属／標的物質界面の表面プラズモン
１１３  入射光
１１４  反射光
１１５  コリメートレンズ
１１６  標的物質検出素子
４０１  集光レンズ
４０２  光センサ
５０１  レーザーダイオード
５０２  コリメートレンズ
５０３  偏光フィルタ
５０４  光センサ
５０５  アーム
５０６  ゴニオメータ
【図１】
2007147314.tif 000005
【図２】
2007147314.tif 000006
【図３】
2007147314.tif 000007
【図４】
2007147314.tif 000008
【図５】
2007147314.tif 000009
【図６】
2007147314.tif 000010
【図７】
2007147314.tif 000011
【図８】
2007147314.tif 000012